(57)【要約】【課題】着用補助者に対して、吸収容量の限界に近づいていることを知らせる。【解決手段】本発明に係る使い捨ておむつ１では、前胴回り域１１０又は後胴回り域１３０と股下域１２０との境界線Ｂ近傍の吸収体１０が配置されている領域は、使い捨ておむつ１の非肌当接面側から吸収体１０を視認することができる視認可能領域４１Ａとして形成されており、製品長手方向Ｌの中心線Ｏを跨ぐように、使い捨ておむつ１の非肌当接面側から吸収体１０を視認できない視認不可能領域４０が形成されている。【選択図】図１
2014198142.tif 000002
【特許請求の範囲】
【請求項１】
前胴回り域と、後胴回り域と、前記前胴回り域と前記後胴回り域との間に位置する股下域と有し、
前記股下域を跨ぎ前記前胴回り域及び前記後胴回り域内まで延びる吸収体を備え、
前記前胴回り域から前記後胴回り域に向かう製品長手方向と、前記製品長手方向と直交する製品幅方向とを有する使い捨ておむつであって、
前記前胴回り域又は前記後胴回り域と前記股下域との境界線近傍の前記吸収体が配置されている領域は、前記使い捨ておむつの非肌当接面側から前記吸収体を視認することができる視認可能領域として形成されており、
前記製品長手方向の中心線を跨ぐように、前記使い捨ておむつの非肌当接面側から前記吸収体を視認できない視認不可能領域が形成されていることを特徴とする使い捨ておむつ。
【請求項２】
前記視認可能領域と前記視認不可能領域との間の境界線を跨ぐ領域において、非肌当接面側から前記吸収体を圧搾することによって形成されている圧搾溝が形成されていることを特徴とする請求項１に記載の使い捨ておむつ。
【請求項３】
前記圧搾溝は、格子状に形成されていることを特徴とする請求項２に記載の使い捨ておむつ。
【請求項４】
前記吸収体の非肌当接面側に、透明フィルムによって構成されているバックシートが設けられており、
前記視認不可能領域では、前記吸収体の非肌当接面側に、更に不職布或いは不透明フィルムが設けられており、
前記視認可能領域では、前記吸収体の非肌当接面側に、不織布及び不透明フィルムが設けられていないことを特徴とする請求項１乃至３のいずれか一項に記載の使い捨ておむつ。
【請求項５】
前記不職布或いは前記不透明フィルムの前記製品長手方向の端部と前記長手方向の端部とが接合されていることを特徴とする請求項４に記載の使い捨ておむつ。
【請求項６】
前記吸収体の非肌当接面側に、透明フィルムによって構成されているバックシートが設けられており、
前記視認不可能領域では、前記バックシートが不透明になるような印刷処理が施されていることを特徴とする請求項１乃至３のいずれか一項に記載の使い捨ておむつ。
【請求項７】
前記視認不可能領域は、前記視認可能領域よりも前記後胴回り域側の全ての領域において形成されていることを特徴とする請求項１に記載の使い捨ておむつ。
【請求項８】
前記後胴回り域の両側縁部から前記製品幅方向の外側に延出するように、ファスニングテープを有するサイドフラップが設けられており、
前記前胴回り域の非肌当接面側には、前記ファスニングテープに係止可能なターゲットテープが設けられており、
前記視認可能領域は、前記ターゲットテープが配置されている領域を跨ぐように形成されていることを特徴とする請求項１乃至７のいずれか一項に記載の使い捨ておむつ。
【請求項９】
前記吸収体の肌当接面側にセカンドシートが設けられており、
前記セカンドシートは、吸液後、前記視認不可能領域の色と異なる色になるように構成されていることを特徴とする請求項１乃至８のいずれか一項に記載の使い捨ておむつ。
【請求項１０】
前記吸収体は、吸収性コアと、前記吸収性コアを包むシート状のコアラップとによって構成されており、
前記コアラップは、吸液後、前記視認不可能領域の色と異なる色になるように構成されていることを特徴とする請求項１乃至８のいずれか一項に記載の使い捨ておむつ。
【請求項１１】
前記使い捨ておむつは、パンツ型おむつであって、
前記視認可能領域は、前記前胴回り域１２０又は前記後胴回り域と前記股下域との境界線よりも前記股下域側に設けられていることを特徴する請求項１に記載の使い捨ておむつ。
【発明の詳細な説明】
【技術分野】
【０００１】
本発明は、使い捨ておむつに関する。
【背景技術】
【０００２】
従来、着用補助者に対して、着用者が排尿したことについて知らせることができる使い捨ておむつが知られている。
【０００３】
例えば、特許文献１に示す使い捨ておむつは、着用者の排尿により濡れると変色することによって、着用補助者に対して、着用者が排尿したことについて知らせることができる。
【０００４】
また、特許文献２に示す使い捨ておむつでは、吸収性コアの非肌当接面側にパターン状に配置された吸収性物質が、着用者によって排泄された尿を吸水して膨潤するため、着用補助者が、かかる使い捨ておむつが着用された状態のままで、着用者が排尿したことを容易に確認することができ、適切な時期に使い捨ておむつを交換することができる。
【先行技術文献】
【特許文献】
【０００５】
【特許文献１】特開昭５９-１６８１０１号公報
【特許文献２】特開２００１-１１２８１５号公報
【発明の概要】
【発明が解決しようとする課題】
【０００６】
現在、ＧＤＰが低い国では、１日における使い捨ておむつの使用枚数をできるだけ減らしたいと考えており、吸収容量の限界になるまで１枚の使い捨ておむつを使いたいと考えている。
【０００７】
そのため、かかる国では、着用補助者は、装着中の使い捨ておむつのファスニングテープを外したり、装着中の使い捨ておむつをずらしたりすることで、使い捨ておむつの内部の状態を確認するため、使い捨ておむつの装着ずれが生じ、尿漏れが発生しやすくなる。
【０００８】
しかしながら、上述の使い捨ておむつは、着用者が排尿したことについて知らせるように構成されているに過ぎず、着用補助者は、かかる使い捨ておむつでは、吸収容量の限界に近づいていることを知ることができないという問題点があった。
【０００９】
そこで、本発明は、上述の課題に鑑みてなされたものであり、着用補助者に対して、吸収容量の限界に近づいていることを知らせることができる使い捨ておむつを提供することを目的とする。
【課題を解決するための手段】
【００１０】
本発明の第１の特徴は、前胴回り域と、後胴回り域と、前記前胴回り域と前記後胴回り域との間に位置する股下域と有し、前記股下域を跨ぎ前記前胴回り域及び前記後胴回り域内まで延びる吸収体を備え、前記前胴回り域から前記後胴回り域に向かう製品長手方向と、前記製品長手方向と直交する製品幅方向とを有する使い捨ておむつであって、前記前胴回り域又は前記後胴回り域と前記股下域との境界線近傍の前記吸収体が配置されている領域は、前記使い捨ておむつの非肌当接面側から前記吸収体を視認することができる視認可能領域として形成されており、前記製品長手方向の中心線を跨ぐように、前記使い捨ておむつの非肌当接面側から前記吸収体を視認できない視認不可能領域が形成されていることを要旨とする。
【発明の効果】
【００１１】
以上説明したように、本発明によれば、着用補助者に対して、吸収容量の限界に近づいていることを知らせることができる使い捨ておむつを提供することができる。
【図面の簡単な説明】
【００１２】
【図１】本発明の第１の実施形態に係る使い捨ておむつの非肌当接面側から見た平面図である。
【図２】本発明の第１の実施形態に係る使い捨ておむつの非肌当接面側から見た平面図におけるＡ-Ａ断面図である。
【図３】本発明の第１の実施形態に係る使い捨ておむつの着用時の様子を示す図である。
【図４】本発明の変更例１に係る使い捨ておむつの非肌当接面側から見た平面図である。
【図５】本発明の変更例２に係る使い捨ておむつの非肌当接面側から見た平面図である。
【図６】本発明の変更例３に係る使い捨ておむつの非肌当接面側から見た平面図である。
【発明を実施するための形態】
【００１３】
（第１の実施形態）
図１乃至図３を参照して、本発明の第１の実施形態に係る吸収性物品１について説明する。
【００１４】
なお、以下の図面の記載において、同一又は類似の部分には、同一又は類似の符号を付している。ただし、図面は模式的なものであり、各寸法の比率等は現実のものとは異なることに留意すべきである。
【００１５】
したがって、具体的な寸法等は、以下の説明を参酌して判断すべきである。また、図面相互間においても互いの寸法の関係や比率が異なる部分が含まれ得る。
【００１６】
図１（ａ）に、本実施形態に係る使い捨ておむつ１の非肌当接面側から見た平面図を示し、図１（ｂ）及び図１（ｃ）に、図１に示す平面図における領域Ｌにおける拡大図を示し、図２（ａ）及び図２（ｂ）に、図１に示す平面図におけるＡ-Ａ断面図を示し、図３に、本実施形態に係る使い捨ておむつ１の着用時の様子を示す。
【００１７】
図１（ａ）に示すように、本実施形態に係る使い捨ておむつ１は、製品長手方向Ｌと、製品長手方向Ｌと直交する製品幅方向Ｗとを有している。
【００１８】
また、本実施形態に係る使い捨ておむつ１は、前胴回り域１１０と、後胴回り域１３０と、前胴回り域１１０と後胴回り域１３０との間に位置する股下域１２０と有している。
【００１９】
ここで、前胴回り域１１０は、着用者の腹に当接することが想定される領域であり、股下域１２０は、着用者の股下に当接することが想定される領域であり、後胴回り域１３０は、着用者の背中に当接することが想定される領域である。
【００２０】
例えば、本実施形態に係る使い捨ておむつ１にようなテープ型おむつでは、図１（ａ）に示すように、前胴回り域１１０は、製品長手方向Ｌにおける前胴回り域１１０側の端部とサイドフラップ２０の後胴回り域１３０側の根元部との間の領域であり、後胴回り域１３０は、着用時に前胴回り域１１０に対応する領域であってもよい。
【００２１】
一方、パンツ型おむつでは、前胴回り域１１０及び後胴回り域１３０は、側縁部が接合されている領域であってもよい。
【００２２】
また、本実施形態に係る使い捨ておむつ１は、吸収体本体５と、吸収体本体５の後胴回り域１３０の両側縁部から製品幅方向Ｗの外側に延出する一対のサイドフラップ２０とを具備している。
【００２３】
サイドフラップ２０は、疎水性の不織布、透湿又は非透湿性のフィルム若しくは疎水性の不織布と透湿又は非透湿性のフィルムとを貼り合わせた複合シートからなる。ポリエチレン、ポリプロピレン等を主体としたフィルム、通気性のある樹脂フィルム、スパンボンド、又は、スパンレース等の不織布に通気性の樹脂フィルムが接合されたシート等を用いることができる。
【００２４】
また、サイドフラップ２０の製品幅方向Ｗの各端部に、ファスニングテープ２０Ａが接合されている。吸収体本体５の前胴回り域１１０の非肌当接面側に、ファスニングテープ２０Ａに係止可能なターゲットテープ２０Ｂが設けられている。
【００２５】
例えば、ファスニングテープ２０Ａは、いわゆる面ファスナーの雄部材であり、ターゲットテープ２０Ｂは、雌部材である。
【００２６】
ファスニングテープ２０Ａには、複数の鉤状の突起群（フックという）を有する係合面が形成される。ファスニングテープ２０Ａの素材としては、例えば、ＰＰＳＢ（ポリプロピレンスパンボンド不織布）が挙げられ、例えば、目付８０ｇ/ｍ２のＰＰＳＢを用いることが好ましい。かかるフックの目付は、１００ｇ/ｍ２であることが好ましい。
【００２７】
ファスニングテープ２０Ａが係止されるターゲットテープ２０Ｂは、フックが係合可能な不織布や編み物である。不織布を構成する繊維質材としては、芯鞘構造を有する複合繊維が用いられる。繊維質材としては、芯成分/鞘成分が、例えば、ＰＰ（ポリプロピレン）/ＰＥ（ポリエチレン）、ＰＰ/低融点ＰＰ、ＰＥＴ（ポリエチレンテレフタレート）/低融点ＰＥＴ、ＰＥＴ/ＰＥの組み合わせを用いる。繊維質材に、レーヨン、ＰＥＴ、ＰＰ、ナイロン等のポリアミド、アクリル、ウレタン、コットン等の繊維を混合してもよい。例えば、雌部材の目付は、３８ｇ/ｍ２である。
【００２８】
吸収体本体５は、図２（ａ）及び図２（ｂ）に示すように、トップシート２と、バックシート３と、吸収体１０とを具備している。
【００２９】
トップシート２は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００３０】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維等が挙げられる。熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。例えば、トップシート２は、目付２３ｇ/ｍ２のポイントボンド不織布である。
【００３１】
不織布を作成する方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００３２】
バックシート３は、液不透過性で、かつ、透湿又は非透湿性のフィルムからなる。例えば、バックシート３は、目付１６ｇ/ｍ２の非通気性フィルムである。
【００３３】
吸収体１０は、トップシート２とバックシート３との間に配置されており、股下域１２０を跨ぎ前胴回り域１１０及び後胴回り域１３０内まで延びるように配置されている。
【００３４】
吸収体１０は、液体を吸収する吸収性コア１０Ｂと、コアラップ１０Ｃとを有する。吸収性コア１０Ｂは、親水性繊維、高吸収性ポリマーを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。親水性繊維に高分子吸収体を混合したものを使用してもよい。
【００３５】
吸収性コア１０Ｂは、コアラップ１０Ｃによって包まれている。例えば、コアラップ１０Ｃは、ティッシュである。
【００３６】
また、本実施形態に係る使い捨ておむつ１では、図１（ａ）、図２（ａ）及び図２（ｂ）に示すように、製品長手方向Ｌにおける両端部近傍において、トップシート２とバックシートとの間に伸縮部材３０が設けられていてもよい。
【００３７】
図１（ａ）に示すように、本実施形態に係る使い捨ておむつ１では、製品長手方向Ｌの中心線Ｏを跨ぐように、使い捨ておむつ１の非肌当接面側から吸収体１０Ａを視認できない視認不可能領域が形成されている。
【００３８】
一方、図１（ａ）に示すように、本実施形態に係る使い捨ておむつ１では、前胴回り域１１０と股下域１２０との境界線Ｂ近傍の吸収体１０Ａが配置されている領域は、使い捨ておむつ１の非肌当接面側から吸収体１０Ａを視認することができる視認可能領域４１Ａとして形成されている。
【００３９】
すなわち、かかる視認可能領域４１Ａは、前胴回り域１１０と股下域１２０との境界線Ｂを跨ぐように形成されている。
【００４０】
或いは、本実施形態に係る使い捨ておむつ１では、後胴回り域１３０と股下域１２０との境界線近傍の吸収体１０Ａが配置されている領域は、使い捨ておむつ１の非肌当接面側から吸収体１０Ａを視認することができる視認可能領域として形成されていてもよい。
【００４１】
すなわち、かかる視認可能領域は、後前胴回り域１３０と股下域１２０との境界線を跨ぐように形成されていてもよい。
【００４２】
また、図１（ａ）に示すように、本実施形態に係る使い捨ておむつ１では、ターゲットテープ２０Ｂが配置されている領域よりも製品長手方向Ｌにおける前胴回り域１１０側の端部側に、視認可能領域４１Ｂが形成されていてもよい。
【００４３】
すなわち、視認可能領域４１Ａ/４１Ｂは、ターゲットテープ２０Ｂが配置されている領域を跨ぐように形成されていてもよい。
【００４４】
さらに、図１（ａ）に示すように、本実施形態に係る使い捨ておむつ１では、視認不可能領域４０よりも製品長手方向Ｌにおける後胴回り域１３０側の端部側に、視認可能領域４１Ｃが形成されていてもよい。
【００４５】
図１（ａ）、図２（ａ）及び図２（ｂ）に示すように、本実施形態に係る使い捨ておむつ１において、製品長手方向Ｌにおける視認不可能領域４０の長さは「Ｘ」であり、製品長手方向Ｌにおける視認可能領域４１Ｃの長さは「Ｙ１」であり、製品長手方向Ｌにおける視認可能領域４１Ａ/４１Ｂ及びターゲットテープ２０Ｂの長さの合計は「Ｙ２」である。
【００４６】
なお、本実施形態に係る使い捨ておむつ１では、製品長手方向Ｌにおける吸収体１０が配置されている領域の長さは、製品長手方向Ｌにおける視認不可能領域４０の長さは「Ｘ」よりも長くなるように構成されている。
【００４７】
また、本実施形態に係る使い捨ておむつ１において、バックシート３が、透明フィルムによって構成されていてもよい。ここで、透明フィルムは、通常のフィルムから酸化チタンを抜くことによって生成される汎用の資材である。
【００４８】
ここで、図２（ａ）に示すように、視認不可能領域４０では、バックシート３が不透明になるような印刷処理が施されていてもよい。
【００４９】
或いは、図２（ｂ）に示すように、視認不可能領域４０では、吸収体１０の非肌当接面側に、更に不職布（或いは不透明フィルム）４００が設けられており、視認可能領域４１Ａ/４１Ｂ/４１Ｃでは、吸収体１０の非肌当接面側に、不織布及び不透明フィルムが設けられていないように構成されていてもよい。
【００５０】
すなわち、図２（ｂ）に示すように、視認可能領域４１Ａ/４１Ｂ/４１Ｃでは、透明フィルム４１０Ａ/４１０Ｂが設けられており、透明フィルム４１０Ａ/４１０Ｂの製品長手方向Ｌの端部と、不職布（或いは不透明フィルム）４００の製品長手方向Ｌの端部とが接合されていてもよい。
【００５１】
或いは、  なお、光線透過率が７０％以上の領域において、使い捨ておむつ１の非肌当接面側から吸収体１０Ａを視認することができる。
【００５２】
（表１）に、透明フィルムを複数枚重ねた際に、使い捨ておむつ１の非肌当接面側から吸収体１０Ａを視認することができるか否かについて確認した試験結果を示す。
【表１】
2014198142.tif 000003
【００５３】
また、図１（ａ）〜（ｃ）に示すように、吸収体１０には、非肌当接面側から吸収体１０を圧搾することによって形成されている圧搾溝１０Ａが形成されていてもよい（図２（ａ）及び図２（ｂ）には、非表示）。
【００５４】
かかる圧搾溝１０Ａは、少なくとも視認可能領域４１Ａと視認不可能領域４０との間の境界線Ｂを跨ぐ領域において形成されているものとする。
【００５５】
また、かかる圧搾溝１０Ａは、格子状に形成されていてもよい。すなわち、かかる圧搾溝１０Ａは、直線形状であり、かかる圧搾溝１０Ａの延在方向は、２方向であり、製品長手方向Ｌ及び製品幅方向Ｗのどちらにも一致しないように形成されていてもよい。
【００５６】
本実施形態に係る使い捨ておむつ１によれば、着用補助者は、図３に示すように、前胴回り域１１０と股下域１２０との間の境界線近傍に設けられている視認可能領域４１Ａ内の圧搾溝１０Ａにまで、着用者によって排泄された尿が到達したことを検知すると、吸収容量の限界に近づいていると判断することができる。
【００５７】
ここで、着用者が、使い捨ておむつ１を装着した状態で排尿を行うと、第１段階として、図１（ｂ）に示すように、着用者によって排泄された尿が圧搾溝１０Ａに沿って拡散し、更に、排尿量が増えてくると、第２段階として、図１（ｃ）に示すように、着用者によって排泄された尿が圧搾溝１０Ａ内に留まらず吸収体１０全体に拡散する。
【００５８】
着用補助者は、視認可能領域４１Ａにおいて、２段階で排尿量を確認することができる。すなわち、着用補助者は、視認可能領域４１Ａにおいて、尿の拡散状態が第２段階（図１（ｃ）に示す状態）である場合には、吸収容量の限界に限りなく近づいていると判断することができる。
【００５９】
また、上述したＧＤＰの低い国では、同一の使い捨ておむつ１をできるだけ長時間使用することが多いため、一般的に、着用補助者は、着用者と使い捨ておむつとの間の隙間を発生させず、尿が漏れないように、ファスニングテープ２０Ａをターゲットテープ２０Ｂに強く締める傾向にある。
【００６０】
本実施形態に係る使い捨ておむつ１によれば、着用補助者は、ファスニングテープ２０Ａをターゲットテープ２０Ｂから外すことなく、吸収容量の限界に近づいていることに起因する使い捨ておむつ１の交換時期を知ることができる。
【００６１】
また、本実施形態に係る使い捨ておむつ１によれば、尿に触れると変色するインディケータを用いないため、コスト削減に繋がる。
【００６２】
さらに、本実施形態に係る使い捨ておむつ１によれば、着用補助者は、視認可能領域４１以外では、着用者の排泄物を見ることがないため、バックシート全体を透明フィルムで構成した場合のように、着用補助者に対して不快感を与えてしまうという事態を回避することができる。
【００６３】
（変更例１）
以下、図４を参照して、本発明の変更例１に係る使い捨ておむつ１について、上述の第１の実施形態に係る使い捨ておむつ１との相違点に着目して説明する。
【００６４】
図４に示すように、本変更例１に係る使い捨ておむつ１では、視認可能領域４１Ｄは、吸収体１０が配置されている領域のうち所定形状（所定デザイン）の領域として形成されていてもよい。
【００６５】
また、本変更例１に係る使い捨ておむつ１では、視認不可能領域４０は、視認可能領域４１Ｄよりも後胴回り域１３０側の全ての領域において形成されていてもよい。
【００６６】
（変更例２）
以下、図５を参照して、本発明の変更例２に係る使い捨ておむつ１について、上述の第１の実施形態に係る使い捨ておむつ１との相違点に着目して説明する。
【００６７】
図５に示すように、本変更例２に係る使い捨ておむつ１では、ターゲットテープ２０Ｂが配置されている領域以外を全て視認可能領域４１Ｅとして形成するように構成されている。
【００６８】
すなわち、本変更例２に係る使い捨ておむつ１では、バックシート３全体が、透明フィルムによって構成されている。
【００６９】
（変更例３）
以下、図６を参照して、本発明の変更例３に係る使い捨ておむつ１について、上述の第１の実施形態に係る使い捨ておむつ１との相違点に着目して説明する。
【００７０】
図６に示すように、本変更例３に係る使い捨ておむつ１は、パンツ型おむつである。本変更例３に係る使い捨ておむつ１においても、視認可能領域４１Ｆ及び視認不可能領域４０が形成されている。
【００７１】
ここで、図６に示すように、視認可能領域４１Ｆは、股下域１２０と前胴回り域１２０（又は、後胴回り域１３０）との間の境界線Ｂよりも股下域１２０側に設けられている。
【００７２】
（変更例４）
以下、本発明の変更例４に係る使い捨ておむつ１について、上述の第１の実施形態に係る使い捨ておむつ１との相違点に着目して説明する。
【００７３】
本変更例４に係る使い捨ておむつ１では、吸収体１０とトップシート２との間に、液保持性のセカンドシート５０が設けられていてもよい。
【００７４】
かかるセカンドシート５０は、吸液後、視認不可能領域４０の色と異なる色になるように構成されていてもよい。
【００７５】
或いは、コアラップ１０Ｃは、吸液後、視認不可能領域４０の色と異なる色になるように構成されていてもよい。
【００７６】
かかる構成によれば、着用補助者は、着用者によって排泄された尿をより視認しやすくなる。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
１…使い捨ておむつ
２…トップシート
３…バックシート
５…吸収体本体
１０…吸収体
１０Ａ…圧搾溝
１０Ｂ…吸収性コア
１０Ｃ…コアラップ
２０…サイドフラップ
２０Ａ…ファスニングテープ
２０Ｂ…ターゲットテープ
３０…伸縮部材
４０…視認不可能領域
４１Ａ、４１Ｂ、４１Ｃ、４１Ｄ、４１Ｅ…視認可能領域
５０…セカンドシート
１１０…前胴回り域
１２０…股下域
１３０…後胴回り域
【図２】
2014198142.tif 000004
【図３】
2014198142.tif 000005
【図１】
2014198142.tif 000006
【図４】
2014198142.tif 000007
【図５】
2014198142.tif 000008
【図６】
2014198142.tif 000009